(57)【特許請求の範囲】
【請求項１】
液体を収容するためのボトルであって、本体部と、前記本体部内部に通じるボトル開口を形成する頭部と、を有するボトルと、
前記ボトル開口を塞ぐようにして前記頭部に取り付けられたボトル取付部品と、
コップ開口を形成する縁部を有するコップであって、前記ボトル取付部品が取り付けられた前記頭部を前記コップ開口から内部に収容するようにして前記本体部の外面に保持されるコップと、
を備え、
前記コップが前記本体部に保持された状態において、前記コップの内面と、前記本体部の前記外面と、の間に、前記コップの内部に通じる隙間が部分的に形成され、
前記本体部の前記外面は、第１領域と、前記第１領域よりも凹んだ第２領域と、を含み、
前記コップが前記本体部に保持された状態において、前記第１領域の少なくとも一部は前記コップの内面と接触し、前記第２領域は前記コップの前記内面から離間し前記コップの前記内面との間に前記隙間を形成し、
前記本体部は、一方向において前記頭部と対向して配置された底部と、前記底部に接続された胴部と、前記胴部と前記頭部とに接続され、前記胴部側から前記頭部側に向けて先細になるテーパ部と、を有し、
前記胴部と前記テーパ部とが周状に接続されて規定される接続箇所によって、前記第１領域と前記第２領域とが区画され、
前記第１領域は、外方側に向かって凸となるように膨らみ、前記第１領域の外方に膨らんだ部分は、前記接続箇所よりも外方側に位置している、コップ付容器。
【請求項２】
複数の前記第１領域と複数の前記第２領域とが前記ボトルの周方向に交互に並べられている、請求項１に記載のコップ付容器。
【請求項３】
前記胴部と前記テーパ部とが周状に接続されて規定される接続箇所は、前記ボトルの周方向における位置に応じて周期的に前記一方向における位置が変動する、請求項１または２に記載のコップ付容器。
【請求項４】
前記接続箇所は、複数の第１部分と、前記第１部分とは異なる形状をもつ複数の第２部分と、を含み、
前記複数の第１部分と前記複数の第２部分とは、前記ボトルの周方向に交互に並べられている、請求項１乃至３のいずれか一項に記載のコップ付容器。
【請求項５】
各第１部分は、前記一方向における前記頭部側に向かって凸となるように湾曲し、各第２部分は、前記一方向における前記底部側に向かって凸となるように湾曲している、請求項４に記載のコップ付容器。
【請求項６】
前記本体部の外面及び前記コップの内面の少なくとも一方に、凸部が設けられ、
前記本体部の外面及び前記コップの内面の他方に、前記凸部を収容する凹部が設けられ、
前記コップが前記本体部に保持された状態において、前記凸部が前記凹部内に収容される、請求項１乃至５のいずれか一項に記載のコップ付容器。
【請求項７】
前記コップの底部の外面に、他の部分よりも隆起したリブが設けられている、請求項１乃至６のいずれか一項に記載のコップ付容器。
【発明の詳細な説明】
【技術分野】
【０００１】
本発明は、コップ付容器に係り、とりわけ、コップがボトルに保持された状態においてコップ内の空間の通気性を改善したコップ付容器に関する。
【背景技術】
【０００２】
例えば特許文献１乃至２には、液体を収容するためのボトルと、ボトルに収容された液体を注ぐためのコップと、を備えるコップ付容器が知られている。特許文献１乃至２に示すコップ付容器では、キャップが取り付けられたボトル上にコップをかぶせた状態でボトルがコップを保持する。これにより、コップの内面及びキャップ周囲のボトルの衛生状態を維持したままでコップ付容器を保管乃至運搬することができる。コップ付容器を使用するときには、ボトルからコップを取外して、ボトル内の液体をコップに注ぐ。これにより、コップを準備する手間をかけることなく、衛生的にボトル内の液体を利用することができる。
【先行技術文献】
【特許文献】
【０００３】
【特許文献１】実用新案登録第３１７４１３５号
【特許文献２】特開２００４−２１７２７３号公報
【発明の概要】
【発明が解決しようとする課題】
【０００４】
使用後は、キャップが取り付けられたボトル上にコップをかぶせ、ボトルにコップを再び保持させる。しかしながら、特許文献１乃至２に示すコップ付容器では、ボトル上にコップをかぶせると、コップ内の空間が密閉されてしまう。このため、コップやボトルに残留していた水分乃至水滴が、密閉されたコップ内の空間にこもり、衛生的に好ましくない状態が生じていた。
【０００５】
本発明は、このような点に鑑みてなされたものであり、コップがボトルに保持された状態においてコップ内の空間の通気性を向上させたコップ付容器を提供することを目的とする。
【課題を解決するための手段】
【０００６】
本発明によるコップ付容器は、液体を収容するためのボトルであって、本体部と、前記本体部内部に通じるボトル開口を形成する頭部と、を有するボトルと、
前記ボトル開口を塞ぐようにして前記頭部に取り付けられたボトル取付部品と、
コップ開口を形成する縁部を有するコップであって、前記ボトル取付部品が取り付けられた前記頭部を前記コップ開口から内部に収容するようにして前記本体部の外面に保持されるコップと、を備え、
前記コップが前記本体部に保持された状態において、前記コップの内面と、前記本体部の前記外面と、の間に、前記コップの内部に通じる隙間が部分的に形成される。
【０００７】
本発明によるコップ付容器において、前記本体部の外面は、第１領域と、前記第１領域よりも凹んだ第２領域と、を含み、前記コップが前記本体部に保持された状態において、前記第１領域の少なくとも一部は前記コップの内面と接触し、前記第２領域は前記コップの前記内面から離間し前記コップの前記内面との間に前記隙間を形成してもよい。
【０００８】
本発明によるコップ付容器において、複数の前記第１領域と複数の前記第２領域とが前記ボトルの周方向に交互に並べられていてもよい。
【０００９】
本発明によるコップ付容器において、前記本体部は、一方向において前記頭部と対向して配置された底部と、前記底部に接続された胴部と、前記胴部と前記頭部とに接続され、前記胴部側から前記頭部側に向けて先細になるテーパ部と、を有し、前記胴部と前記テーパ部とが周状に接続されて規定される接続箇所によって、前記第１領域と前記第２領域とが区画されていてもよい。
【００１０】
本発明によるコップ付容器において、前記胴部と前記テーパ部とが周状に接続されて規定される接続箇所は、前記ボトルの周方向における位置に応じて周期的に前記一方向における位置が変動してもよい。
【００１１】
本発明によるコップ付容器において、前記接続箇所は、複数の第１部分と、前記第１部分とは異なる形状をもつ複数の第２部分と、を含み、前記複数の第１部分と前記複数の第２部分とは、前記ボトルの周方向に交互に並べられていてもよい。
【００１２】
本発明によるコップ付容器において、各第１部分は、前記一方向における前記頭部側に向かって凸となるように湾曲し、各第２部分は、前記一方向における前記底部側に向かって凸となるように湾曲していてもよい。
【００１３】
本発明によるコップ付容器において、前記本体部の外面及び前記コップの内面の少なくとも一方に、凸部が設けられ、前記本体部の外面及び前記コップの内面の他方に、前記凸部を収容する凹部が設けられ、前記コップが前記本体部に保持された状態において、前記凸部が前記凹部内に収容されてもよい。
【００１４】
本発明によるコップ付容器において、前記コップの底部の外面に、他の部分よりも隆起したリブが設けられていてもよい。
【発明の効果】
【００１５】
本発明によれば、コップがボトルに保持された状態において、コップの内面とボトルの本体部の外面との間に、コップの内部に通じる隙間が部分的に形成される。このため、コップがボトルに保持された状態において、前記隙間からコップ内の空間の通気を確保することができる。この結果、コップ内の空間の衛生状態を維持することが可能となる。
【図面の簡単な説明】
【００１６】
【図１】本発明の一実施の形態によるコップ付容器を示す斜視図。
【図２】図１に示す線II−IIに沿ったコップ付容器の断面を示す断面図。なお、理解を容易にすべく、ボトル取付部品の一部を省略して示している。
【図３】図１に示すコップ付容器を構成するコップの一例を示す断面図。
【図４】図１に示すコップ付容器を構成するボトルの一例を示す正面図。
【図５】図４に示すボトルの胴部とテーパ部との接続箇所を拡大して示す正面図。
【図６】図２の一点鎖線で示す領域Ａを拡大して示す断面図。
【図７】コップの凸部とボトルの凹部との位置関係を模式的に示す平面図。
【図８】図１に示すコップ付容器を構成するコップの他の例を示す斜視図。
【図９】図１に示すコップ付容器を構成するコップの他の例を示す断面図。
【図１０】コップの内面に液止凸部がさらに設けられた例を示す断面図。
【発明を実施するための形態】
【００１７】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１８】
図１乃至図６は、本発明による一実施の形態を説明するための図である。このうち図１及び図２は、それぞれ、本発明の一実施の形態によるコップ付容器１を示す斜視図及び断面図である。
【００１９】
図１及び図２に示すコップ付容器１は、液体を収容するためのボトル２と、ボトル２に収容された液体を取り出すためのボトル取付部品３と、ボトル２に収容された液体を注ぐためのコップ４と、を備えている。コップ４は、ボトル取付部品３が取り付けられたボトル２の上方から当該ボトル２にかぶせられて保持されている。コップ４がボトル２に保持された状態において、コップ４とボトル２との間の隙間Ｇからコップ４内の空間が外部と通気を行うことが可能になっている。このような形態によれば、コップ４がボトル２に保持された状態において、コップ４内の空間の通気を確保することが可能となる。このため、コップ４内の空間の衛生状態を維持することが可能となる。以下、このような機能をもつコップ付容器１に利用される各部品について説明していく。
【００２０】
先ず、ボトル２と共にコップ付容器１を構成するコップ４の一例について図３を参照して説明する。図３は、コップ４の一例を示す断面図である。図３に示すように、コップ４は、底部４１と、底部４１に接続された側部４２と、を有している。底部４１は、コップ４を載置面に置いたときにコップ４の載置面に接触する部分を構成する。側部４２は、底部４１の周縁に接続され底部４１の上方を環状に取り囲んでいる。底部４１と側部４２とによって規定される空間内に、ボトル２からの液体を受容する受容空間Ｓ１が規定されている。
【００２１】
コップ４の底部４１とは反対側となる領域に、当該底部４１に対面してコップ開口４３が形成されている。コップ開口４３は、環状に形成されたコップ４の縁部４４により囲まれる領域内に規定されている。コップ開口４３を介してコップ４内の受容空間Ｓ１に液体が出入りするようになっている。
【００２２】
図３に示すように、コップ４の底部４１は、受容空間Ｓ１側を向く内面４１ａと、受容空間Ｓ１とは反対側つまり外方側を向く外面４１ｂと、を含んでいる。同様に、コップ４の側部４２は、受容空間Ｓ１側を向く内面４２ａと、受容空間Ｓ１とは反対側つまり外方側を向く外面４２ｂと、を含んでいる。底部４１の内面４１ａと側部４２の内面４２ａとによって、コップ４の内面４ａが規定される。
【００２３】
図３に示す例では、側部４２の内面４２ａに、凸部４５が設けられている。このコップ４の凸部４５は、後述するボトル２の凹部１７内に収容されて、コップ４がボトル２から抜け出ることを妨げるように作用する。本実施の形態では、コップ４の周方向ｄ３に延びる複数の凸部４５が、コップ４の周方向ｄ３に並べて配置されている。
【００２４】
底部４１の外面４１ｂには、当該外面４１ｂを構成する他の部分よりも隆起したリブ４６が設けられている。本実施の形態では、リブ４６は、底部４１の周縁の輪郭に沿って環状に形成されている。リブ４６によれば、優れた自立性がコップ４に付与される。仮に、リブ４６が設けられておらず底部４１の外面４１ｂが平坦面として形成されている場合、コップ４を載置面に置くと、底部４１の外面４１ｂと載置面との間の異物や載置面の微細な凹凸の影響によりコップ４の自立性が阻害され得る。一方、本実施の形態のように、底部４１の外面４１ｂにリブ４６が設けられている場合、底部４１の外面４１ｂと載置面との間に異物が混入したり載置面に微細な凹凸があっても、リブ４６が安定して載置面に面接触しコップ４の自立性を向上させることができる。
【００２５】
次に、コップ４を保持するべく構成されたボトル２について図４を参照して説明する。図４は、ボトル２の一例を示す正面図である。図４に示すように、ボトル２は、液体を収容するための収容空間Ｓ２を規定する本体部１０と、本体部１０に接続された頭部２０と、を有している。典型的なボトル２では、頭部２０は、本体部１０よりも小径になっている。
【００２６】
このうち、頭部２０は、本体部１０内の収容空間Ｓ２にアクセスする通路を規定する。図４に示すように、頭部２０は、中空円筒状の形状を有しており、この中空の部分が本体部１０内の収容空間Ｓ２に通じる通路を提供する。頭部２０の上端は、本体部１０内部に通じるボトル開口２１を規定している。したがって、ボトル開口２１から、頭部２０の中空の部分を通って本体部１０内の収容空間Ｓ２へアクセスすることが可能である。
【００２７】
頭部２０の外面には、ボトル取付部品３を取り付けるためのネジ係合部２２が設けられている。図１及び図２に示すように、このネジ係合部２２に、ボトル取付部品３がボトル開口２１を塞ぐようにして取り付けられている。ボトル取付部品３は、本体部１０内の収容空間Ｓ２内の液体を閉じ込めると共に、収容空間Ｓ２内の液体を必要に応じて取り出すべく設けられている。このようなボトル取付部品３として、ボトル開口２１を塞ぐようにして頭部２０に取り付けられる、それ自体既知の部品が用いられる。本実施の形態では、ボトル取付部品３は、収容空間Ｓ２内の液体を吸い上げて吐出するポンプディスペンサーとして構成されている。ただし、このような例に限定されず、例えばボトル取付部品３は、ボトル開口２１を塞ぐキャップであってもよい。
【００２８】
図１及び図２に示すポンプディスペンサーからなるボトル取付部品３は、ボトル開口２１を塞ぐようにしてネジ係合部２２に取り付けられる取付ベース３１と、取付ベース３１に対して押込み可能に設けられ、収容空間Ｓ２内の液体をチューブ３４を介して吸い上げるポンプヘッド３２と、ポンプヘッド３２から吸い上げられた液体を吐出するノズル３３と、を有している。ポンプヘッド３２を取付ベース３１に対して押し込むと、収容空間Ｓ２内の液体がチューブ３４から吸い上げられる。吸い上げられた液体はノズル３３から吐出される。なお、図１及び図２に示す例では、取付ベース３１に雌ネジが形成されていて、ボトル２のネジ係合部２２に雄ネジが形成されている。
【００２９】
図４に戻って、頭部２０の下方に位置する本体部１０は、収容空間Ｓ２側を向く内面１０ａと、収容空間Ｓ２とは反対側つまり外方側を向く外面１０ｂと、を含んでいる。図４に示すように、本体部１０は、底部１１と、底部１１に接続された胴部１２と、胴部１２と頭部２０とに接続されたテーパ部１３と、を有している。底部１１は、コップ４を載置面に置いたときにボトル２の載置面に接触する部分を構成する。底部１１は、一方向、図示する例では上下方向ｄ１に頭部２０と対向している。本実施の形態の底部１１は、円盤状の形状を有している。
【００３０】
胴部１２は、底部１１の周縁に接続され底部１１の上方を環状に取り囲んでいる。胴部１２は、底部１１と共に収容空間Ｓ２に収容された液体に接触する部分を構成する。本実施の形態の胴部１２は、概ね円筒状の形状を有し、上下方向ｄ１に平行な長手方向をもつ。典型的なボトル２では、胴部１２は、頭部２０よりも大径になっている。胴部１２から頭部２０まで延びるテーパ部１３は、胴部１２側から頭部２０側に向けて先細になっていく。言い換えると、テーパ部１３は、上下方向ｄ１に沿って頭部２０に接近するにつれて、上下方向ｄ１に直交する断面における大きさが小さくなっていく。
【００３１】
また、胴部１２とテーパ部１３とが周状に接続されて接続箇所１４が規定されている。図５に、接続箇所１４を拡大して示す。図５に示すように、線状に延びる接続箇所１４は、周期的に変動する所定の形状に成形されている。本実施の形態の接続箇所１４は、ボトル２の周方向ｄ２の位置に応じて上下方向ｄ１における位置が変動している。別の見方をすれば、接続箇所１４上の周方向ｄ２の或る位置における上下方向ｄ１の位置と、接続箇所１４上の周方向ｄ２の別の位置における上下方向ｄ１の位置と、が異なる組み合わせが存在する。なお、ここでいうボトル２の周方向ｄ２とは、前記一方向ｄ１に直交する断面において、ボトル開口２１の中心を通る前記一方向ｄ１に平行な直線を中心として回転する方向をいう。
【００３２】
接続箇所１４は、第１部分１４ａと、第１部分１４ａとは異なる形状をもつ第２部分１４ｂと、を含んでいる。本実施の形態では、複数の第１部分１４ａと複数の第２部分１４ｂとが、周方向ｄ２に交互に並べられている。複数の第１部分１４ａは、互いに同一の形状をもち、複数の第２部分１４ｂは、互いに同一の形状をもつ。したがって、複数の第１部分１４ａと複数の第２部分１４ｂとが周方向ｄ２に交互に並べられることにより、接続箇所１４は、周方向ｄ２に沿って周期的に変動する所定の形状を示すことになる。ただし、複数の第１部分１４ａは、互いに異なる形状であってもよいし、複数の第１部分１４ａのうちの一部が、その他の第１部分１４ａと異なる形状であってもよい。同様に、複数の第２部分１４ｂは、互いに異なる形状であってもよいし、複数の第２部分１４ｂのうちの一部が、その他の第２部分１４ｂと異なる形状であってもよい。
【００３３】
図５に示す例では、各第１部分１４ａは、一方向における頭部２０側つまり上下方向ｄ１における上側に向かって凸となるように湾曲している。一方、各第２部分１４ｂは、一方向における底部１１側つまり上下方向ｄ１における下側に向かって凸となるように湾曲している。したがって、複数の第１部分１４ａと複数の第２部分１４ｂとが周方向ｄ２に交互に並べられることにより、接続箇所１４は、周方向ｄ２の位置に応じて周期的に上下方向ｄ１における位置が変動することになる。なお、図５に示す例では、４つの第１部分１４ａと４つの第２部分１４ｂとが周方向ｄ２に交互に並べられている。ただし、第１部分１４ａ及び第２部分１４ｂの数は、このような例に限定されない。例えば、２つの第１部分１４ａと１つの第２部分１４ｂとが周方向ｄ２に交互に並べられていてもよいし、１つの第１部分１４ａと２つの第２部分１４ｂとが周方向ｄ２に交互に並べられていてもよい。
【００３４】
ところで、図１及び図２に示すように、ボトル取付部品３が取り付けられた頭部２０を収容するようにしてコップ４がボトル２にかぶせられて保持される。本実施の形態では、コップ４がボトル２上に保持された状態において、コップ４内の空間が外部と通気可能となるよう、コップ４の側部４２の内面４２ａと本体部１０の外面１０ｂとの間に、コップ４の内部に通じる隙間Ｇが部分的に形成される。
【００３５】
図５に示すように、本体部１０の外面１０ｂは、複数の第１領域１５と、第１領域１５よりも凹んだ複数の第２領域１６と、を含んでいる。本実施の形態では、複数の第１領域１５と複数の第２領域１６とが、周方向ｄ２に交互に並べられている。コップ４がボトル２にかぶせられた状態において、第１領域１５は、コップ４内に収容され、コップ４の側部４２の内面４２ａに接触する。このため、第１領域１５は、コップ４の側部４２の内面４２ａとボトル２の外面との間に形成され得る隙間がコップ４の内部に通じることを防止する。一方、第２領域１６は、第１領域１５よりも収容空間Ｓ２側に向かって凹んでいる。コップ４がボトル２にかぶせられた状態において、第２領域１６は、コップ４の側部４２の内面４２ａから離間し、コップ４の側部４２の内面４２ａとの間にコップ４の内部に通じる隙間Ｇを形成する。
【００３６】
図５に示すように、第１領域１５と第２領域１６とが、接続箇所１４によって区画されている。本実施の形態において、各第１領域１５は、第１部分１４ａの一部によって輪郭を規定されている。各第１領域１５は、接続箇所１４の周囲となる胴部１２の外面に配置されている。図５に示す各第１領域１５は、概ね上下方向ｄ１に平行な面をなす。その一方で、各第２領域１６は、第２部分１４ｂ及び当該第２部分１４ｂの両側に位置する第１部分１４ａの第１領域１５を規定しない部分によって輪郭を規定されている。各第２領域１６は、接続箇所１４の周囲となるテーパ部１３の外面に配置されている。図５に示す各第２領域１６は、湾曲した面をなす。
【００３７】
図６に、ボトル２の第１領域１５がコップ４の側部４２の内面４２ａに接触した状態を拡大して示す。図６に示すように、第１領域１５は、コップ４がボトル２にかぶせられた際に、コップ４の側部４２の内面４２ａと当接するように膨らんでいる。具体的には、第１領域１５は、外方側つまり収容空間Ｓ２から離間する側に向かって凸となるように膨らんでいる。図６に示す断面において、第１領域１５の外方に膨らんだ部分は、接続箇所１４よりも外方側に位置している。このような第１領域１５によれば、コップ４がボトル２にかぶせられた際に、コップ４の側部４２の内面４２ａに当接して当該コップ４を保持することができる。
【００３８】
なお、図５に示す例において、隣り合う２つの第１領域１５の間の周方向ｄ２に沿った間隔Ｐ１と、第１領域１５の周方向ｄ２における長さＬ１と、の比は、一例として、２：１〜１：１程度に設定される。この場合、コップ４がボトル２にかぶせられた際に、第１領域１５がコップ４の側部４２の内面４２ａに適度な範囲で当接して当該コップ４を適度な保持力で保持することができる。
【００３９】
また、図６に示すように、上下方向ｄ１における下方から第１領域１５と隣り合うように、凹部１７が胴部１２に設けられている。したがって、第１領域１５は、凹部１７と接続箇所１４との間となる位置に位置している。各凹部１７は、前述したコップ４の側部４２の内面４２ａに設けられた対応する凸部４５を収容するようになっている。上述のように、複数の凸部４５はコップ４の周方向ｄ３に並べて配置され、各凸部４５は周方向ｄ３に延びている。したがって、複数の凹部１７は、複数の凸部４５の配列に対応して、ボトル２の周方向ｄ２に並べて配置され、各凹部１７は、周方向ｄ２に延びている。なお、コップ４の周方向ｄ３とは、コップ４がボトル２に保持された状態で、前記一方向ｄ１に直交する断面において、コップ開口４３の中心を通る前記一方向ｄ１に平行な直線を中心として回転する方向をいう。
【００４０】
図６に示すように、凹部１７は、上下方向ｄ１に対向する上壁１７ａ及び下壁１７ｃと、上壁１７ａと下壁１７ｃとの間を延びる側壁１７ｂと、によって区画されている。上壁１７ａ、側壁１７ｂ及び下壁１７ｃは、胴部１２の外面の一部を構成する。図６に示す例では、上壁１７ａは、コップ４がボトル２にかぶせられた際にボトル２の凹部１７内に収容されるコップ４の凸部４５の近傍に位置する。そして、上壁１７ａは、コップ４がボトル２にかぶせられた際にコップ４の凸部４５に当接して、当該凸部４５が上下方向ｄ１に移動することを規制することができるようになっている。一方、上壁１７ａの下方に位置する下壁１７ｃは、上壁１７ａよりも外方側つまり収容空間Ｓ２から離間する側に延び出している。これにより、コップ４がボトル２にかぶせられた際に、コップ４の縁部４４が下壁１７ｃ上に当接してコップ４がボトル２に対して位置合わせされるようになっている。
【００４１】
次に、以上のような構成からなる本実施の形態の作用について説明する。なお、以下の説明では、コップ付容器１が薬剤用の容器、具体的にはうがい薬用の容器からなる例を用いて説明する。ただし、コップ付容器１は、薬剤用の容器からなる例に限定されず、ボトル２内の液体をコップ４に注いで使用する用途であれば、いかなる用途であっても適用可能である。
【００４２】
保管時においては、図１に示すように、コップ４は、ボトル取付部品３が取り付けられた頭部２０を内部に収容した状態で、ボトル２の本体部１０の外面１０ｂに保持される。使用時は、ボトル２からコップ４が取外される。次に、ボトル取付部品３のノズル３３の向きに合わせた位置にコップ４を運んで、ボトル取付部品３のポンプヘッド３２を取付ベース３１に対して押し込む。これにより、ボトル２の収容空間Ｓ２内の薬液がチューブ３４から吸い上げられ、ノズル３３からコップ４の受容空間Ｓ１に向けて薬液が吐出される。その後、コップ４を口元まで移動させて、例えばコップ４内の薬液でうがいを行う。
【００４３】
薬液の利用後は、コップ付容器１を図１に示す保管状態に戻す。具体的には、コップ４をボトル２上にかぶせ、ボトル２の第１領域１５にコップ４の側部４２の内面４２ａを保持させる。コップ４をボトル２に保持させた状態において、コップ４の側部４２の縁部４４付近の内面４２ａとボトル２の本体部１０の外面１０ｂとの間に、コップ４の内部に通じる隙間Ｇが部分的に形成される。このため、隙間Ｇからコップ４内の空間の通気を確保することができるため、コップ４内の空間の衛生状態を維持することができる。
【００４４】
以上のように、本実施の形態によれば、本体部１０と、本体部１０内部に通じるボトル開口２１を形成する頭部２０と、を有するボトル２と、ボトル開口２１を塞ぐようにして頭部２０に取り付けられたボトル取付部品３と、コップ開口４３を形成する縁部４４を有するコップ４であって、ボトル取付部品３が取り付けられた頭部２０をコップ開口４３から内部に収容するようにして本体部１０の外面１０ｂに保持されるコップ４と、を備え、コップ４が本体部１０に保持された状態において、コップ４の内面４ａと本体部１０の外面１０ｂとの間に、コップ４の内部に通じる隙間Ｇが部分的に形成される。このような形態によれば、コップ４がボトル２に保持された状態において、コップ４の内面４ａと本体部１０の外面１０ｂとの間の隙間Ｇからコップ４内の空間の通気を確保することができる。この結果、コップ４内の空間の衛生状態を維持することが可能となる。
【００４５】
また、本実施の形態によれば、本体部１０の外面１０ｂは、第１領域１５と、第１領域１５よりも凹んだ第２領域１６と、を含み、コップ４が本体部１０に保持された状態において、第１領域１５の少なくとも一部はコップ４の内面４ａと接触し、第２領域１６はコップ４の内面４ａから離間しコップ４の内面４ａとの間に隙間Ｇを形成する。このような形態によれば、本体部１０の外面１０ｂに、第１領域１５よりも凹んだ第２領域１６を形成することで、前記隙間Ｇを形成することが可能となる。この場合、コップ４の形状の自由度を従来同様に確保することができることから、従来に比べて劣ることなくコップ４の利便性を確保することができる。
【００４６】
また、本実施の形態によれば、複数の第１領域１５と複数の第２領域１６とがボトル２の周方向ｄ２に交互に並べられている。このような形態によれば、複数の第１領域１５と複数の第２領域１６とを周方向ｄ２にバランスよく配置することができるため、コップ４内の空間の通気をむらなく確保することが可能となる。
【００４７】
また、本実施の形態によれば、本体部１０は、一方向ｄ１において頭部２０と対向して配置された底部１１と、底部１１に接続された胴部１２と、胴部１２と頭部２０とに接続され、胴部１２側から頭部２０側に向けて先細になるテーパ部１３と、を有し、胴部１２とテーパ部１３とが周状に接続されて規定される接続箇所１４によって、第１領域１５と第２領域１６とが区画されている。このような形態によれば、胴部１２とテーパ部１３との接続箇所１４近傍に、コップ４の内面４ａを保持する第１領域１５が配置されることになる。接続箇所１４は、上下方向ｄ１において相対的に頭部２０の近傍に位置するため、コップ４がボトル２上にかぶせられた状態において、コップ４があまり大きくなくても、ボトル２の第１領域１５にコップ４の内面４ａを到達させることができる。したがって、このような形態によれば、コップ４をコンパクトに構成することに寄与する。
【００４８】
また、本実施の形態によれば、胴部１２とテーパ部１３とが周状に接続されて規定される接続箇所１４は、ボトル２の周方向ｄ２における位置に応じて周期的に一方向ｄ１における位置が変動する。この場合、接続箇所１４が周期性をもつため、接続箇所１４をボトル２に効率よく成形することに寄与する。
【００４９】
また、本実施の形態によれば、接続箇所１４は、複数の第１部分１４ａと、第１部分１４ａとは異なる形状をもつ複数の第２部分１４ｂと、を含み、複数の第１部分１４ａと複数の第２部分１４ｂとは、ボトル２の周方向ｄ２に交互に並べられている。このような形態によれば、第１部分１４ａと第２部分１４ｂとを繰り返し形成することにより、ボトル２の接続箇所１４を成形することができるため、効率よくボトル２を成形することに寄与する。
【００５０】
また、本実施の形態によれば、各第１部分１４ａは、一方向ｄ１における頭部２０に向かって凸となるように湾曲し、各第２部分１４ｂは、一方向ｄ１における底部１１側に向かって凸となるように湾曲している。このような形態によれば、ボトル２の接続箇所１４にしわやスジ等が形成されることなく、当該接続箇所１４を成形することができる。
【００５１】
また、本実施の形態によれば、本体部１０の外面１０ｂ及びコップ４の内面４ａの少なくとも一方に、凸部４５が設けられ、本体部１０の外面１０ｂ及びコップ４の内面４ａの他方に、凸部４５を収容する凹部１７が設けられ、コップ４が本体部１０に保持された状態において、凸部４５が凹部１７内に収容される。このような形態によれば、例えばコップ付容器１の運搬中にコップ付容器１に振動や衝撃が伝わっても、凹部１７内に収容された凸部４５が凹部１７内でその移動範囲を規制される。このため、コップ付容器１の運搬中に、コップ４がボトル２から抜け出してしまうことを効果的に抑制することができる。
【００５２】
ところで、上述のように、コップ４の側部４２は、円筒状に形成されている。したがって、コップ４がボトル２に対して周方向ｄ２に任意に回転した状態で、コップ４がボトル２に取り付け可能になっている。この場合、コップ４がボトル２に対して回転した状態によっては、コップ４の凸部４５がボトル２の凹部１７内に収容されないおそれが生じる可能性がある。そこで、本実施の形態では、コップ４がボトル２に対して回転した状態によらず、コップ４の凸部４５がボトル２の凹部１７内に収容される工夫が、図７に示すようにしてなされている。図７は、コップ４の凸部４５とボトル２の凹部１７との位置関係を模式的に示す平面図である。
【００５３】
図７に示すように、本実施の形態では、コップ４の周方向ｄ３に延びる４つの凸部４５が、コップ４の周方向ｄ３に等間隔で並べて配置されており、ボトル２の周方向ｄ２に延びる４つの凹部１７が、ボトル２の周方向ｄ２に等間隔で並べて配置されている。図７に示すように、各凸部４５の周方向ｄ３に沿った長さＬ２は、隣り合う２つの凹部１７の周方向ｄ２に沿った間隔Ｐ３よりも長い。あるいは、各凹部１７の周方向ｄ２に沿った長さＬ３は、隣り合う２つの凸部４５の周方向ｄ３に沿った間隔Ｐ２よりも長い。このような形態によれば、コップ４がボトル２に対してどのように回転した状態であっても、コップ４の凸部４５の少なくとも一部がボトル２の凹部１７内に収容される。このため、例えばコップ付容器１の運搬中にコップ付容器１に振動や衝撃が伝わっても、コップ４がボトル２から抜け出してしまうことを確実に抑制することができる。
【００５４】
≪変形例≫
なお、上述した実施の形態に対して様々な変更を加えることが可能である。以下、図面を参照しながら、変形の一例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００５５】
上述した実施の形態では、図３に示すように、コップ４が円筒状に成形され、コップ４の外面が凹凸等なく平滑に形成された例を示したが、コップ４の形態は、上述した形態に限定されない。図８に、コップ４の他の形態を示す。図８に示す例では、コップ４の外面に受容空間Ｓ１側に向かって他の部分よりも凹んだ一対の窪み４７が設けられている。各窪み４７は、コップ４の外面のうち、底部４１と側部４２とにまたがった領域から、受容空間Ｓ１側に向かって延び出している。このような窪み４７によれば、コップ４を手で把持し易くなる。
【００５６】
また、上述した実施の形態では、図３に示すように、コップ４の周方向ｄ３に延びる複数の凸部４５が、コップ４の周方向ｄ３に並べて配置された例を示したが、コップ４の形態は、上述した形態に限定されない。図９に、コップ４に設けられた凸部４５の他の例を示す。図９に示す例では、側部４２の内面４２ａに、環状に形成された単一の凸部４５が設けられている。すなわち、単一の凸部４５がコップ４の周方向ｄ３に延びて無端状に形成されている。このような形態であっても、コップ４がボトル２に対してどのように回転した状態であっても、コップ４の単一の凸部４５がボトル２の凹部１７内に収容され得る。
【００５７】
また、上述した実施の形態において、コップ４の側部４２の内面４２ａに、ボトル２の凹部１７に収容される凸部４５に加えて、液止凸部４８がさらに設けられていてもよい。図１０に、コップ４の側部４２の内面４２ａに液止凸部４８が設けられた例を示す。図１０に示す例では、単一の液止凸部４８が、側部４２の内面４２ａに環状に形成されている。すなわち、液止凸部４８は、コップ４の周方向ｄ３に延びて無端状に形成されている。液止凸部４８は、ボトル２の凹部１７に収容される凸部４５よりも、底部４１に近接した位置に配置されている。より詳細には、液止凸部４８は、凸部４５よりも底部４１に近接した位置であって、且つ、コップ４をボトル２上にかぶせた状態でボトル２と接触しないような位置に配置されている。
【００５８】
図１０に示す例によれば、使用後のコップ４をボトル２上にかぶせて保管しているときに、側部４２の内面４２ａを伝ってコップ開口４３に向かっていく水滴を、液止凸部４８によって抑えることができる。この結果、コップ４の側部４２の内面４２ａとボトル２の第２領域１６との間の隙間からコップ４内部の水滴が漏れ出す液だれの発生を効果的に抑制することが可能となる。
【００５９】
また、上述した実施の形態では、図１に示すように、ボトル２の本体部１０の外面１０ｂが第１領域１５と第１領域１５よりも凹んだ第２領域１６とを含み、これにより、コップ４がボトル２に保持された状態において、コップ４の側部４２の内面４２ａと、本体部１０の外面１０ｂと、の間に、コップ４の内部に通じる隙間Ｇが部分的に形成される例を示したが、このような例に限定されない。コップ４の側部４２の内面４２ａが第１領域と第１領域よりも凹んだ第２領域とを含み、これにより、コップ４がボトル２に保持された状態において、コップ４の側部４２の内面４２ａと、本体部１０の外面１０ｂと、の間に、コップ４の内部に通じる隙間Ｇが部分的に形成されてもよい。
【符号の説明】
【００６０】
１    コップ付容器
２    ボトル
３    ボトル取付部品
４    コップ
４ａ  内面
１０  本体部
１０ｂ  外面
１１  底部
１２  胴部
１３  テーパ部
１４  接続箇所
１４ａ  第１部分
１４ｂ  第２部分
１５  第１領域
１６  第２領域
１７  凹部
２０  頭部
２１  ボトル開口
４１  底部
４２  側部
４２ａ  側部の内面
４３  コップ開口
４４  縁部
４５  凸部
４６  リブ
Ｇ    隙間
【図１】
0006362972.tif 000002
【図２】
0006362972.tif 000003
【図３】
0006362972.tif 000004
【図４】
0006362972.tif 000005
【図５】
0006362972.tif 000006
【図６】
0006362972.tif 000007
【図７】
0006362972.tif 000008
【図８】
0006362972.tif 000009
【図９】
0006362972.tif 000010
【図１０】
0006362972.tif 000011